(57)【要約】【課題】  通信で生じる発熱に基づくヌル状態の発生を防止する。【解決手段】  電磁波によって、無線通信媒体との通信を非接触で行う無線送受信装置に、前記無線送受信装置にて、前記無線通信媒体との距離を検出する距離検出部と、前記通信端末との通信を行う通信処理部と、前記距離検出部で検出された値に基づき前記通信処理部からの周波数を調整する周波数調整部と、前記周波数調整部から受け取った周波数に基づき電波を放射するアンテナ部と、を設ける。【選択図】  図１
2009177312.tif 000002
【特許請求の範囲】
【請求項１】
電磁波によって無線通信媒体との通信を非接触で行う無線送受信装置であって、
前記無線通信媒体から送信された信号を受信し前記無線通信媒体に信号を送信するアンテナ部と、
前記アンテナ部において受信した信号及び前記無線通信媒体に送信する信号を処理する通信処理部と、
前記無線通信媒体と前記無線送受信装置の間にヌル領域が生じる可能性のある状態か否かを判断する判断部と、
前記判断部にてヌル領域が生じる可能性のある状態と判断された場合に、前記無線通信媒体と無線送受信装置との通信の感度を下げる感度調整部と、
を有することを特徴とする無線送受信装置。
【請求項２】
電磁波によって無線通信媒体との通信を非接触で行う無線送受信装置であって、
前記無線通信媒体との距離を検出する距離検出部と、
前記通信端末との通信を行う通信処理部と、
前記距離検出部で検出された値に基づき前記通信処理部からの周波数を調整する周波数調整部と、
前記周波数調整部から受け取った周波数に基づき電波を放射するアンテナ部とを有し、
前記無線通信媒体との距離が所定距離よりも近くなった場合に、前記無線通信媒体と無線送受信装置との通信の感度を下げる感度調整部と、
を有することを特徴とする無線送受信装置。
【請求項３】
電磁波によって、無線通信媒体との通信を非接触で行う無線送受信装置であって、
前記無線通信媒体との受信信号レベルを検出する受信信号レベル検出部と、
前記通信端末との通信を行う通信処理部と、
前記受信信号レベル検出部で検出された値に基づき前記通信処理部からの周波数を調整する周波数調整部と、
前記周波数調整部から受け取った周波数に基づき電波を放射するアンテナ部と、
前記無線通信媒体との受信信号レベルが所定値より上がった場合に前記無線通信媒体と無線送受信装置との通信の感度を下げる感度調整部と、
を有することを特徴とする無線送受信装置。
【請求項４】
前記周波数調整部は、複数段階において周波数を調整することを特徴とする、請求項１又は請求項２に記載の無線送受信装置。
【発明の詳細な説明】
【技術分野】
【０００１】
本発明は、非接触型のＩＣカード等と称される近距離無線通信機能を備えた無線通信端末と通信を行う無線送受信装置に関する。
【背景技術】
【０００２】
近年、交通機関の乗車券、会員証や社員証、店における代金決済手段用のカード等として、非接触型のＩＣカードの利用が急速に広まっている。非接触型のＩＣカードは、近接した無線送受信装置との間で無線通信を行って、認証処理を行うので、財布やパスケースなどの中に入れたままで使用でき、磁気カードなどに比べて使い勝手がよい。また、このような非接触型のＩＣカード（或いはＩＣカードと同等の機能の回路部品）を、携帯電話端末などの携帯用の電子機器に内蔵させて、これらの機器を使用して、同様の認証や決済を行える等、様々に応用されている。
【０００３】
携帯端末にＩＣカードの機能部を組み込む場合などには、ＩＣカードの機能部が必ずしもカード型の形状をしているとは限らないが、以下の説明ではＩＣカードと称した場合、特に説明がない限りはＩＣカード機能を有する部分を含むものである。また、この種の非接触型のＩＣカードは、ＲＦＩＤ（Radio Frequency IDentification）や無線ＩＣタグなどとも称され、単体で使用される場合でもカード型以外にラベル型、コイン型、スティック型など、種々の形状のものがあるが、ここでは便宜上ＩＣカードと総称する。
【０００４】
ＩＣカードが無線送受信装置と無線通信を行う場合には、無線送受信装置からの電磁誘導で、ＩＣカードが作動するようにしてある。即ち、ＩＣカード側では、無線送受信装置が出力する所定の周波数の搬送波に同調させる処理を行って、その検出された搬送波を変調して、無線送受信装置側にデータを送る。
【０００５】
特許文献１には、非接触型のＩＣカードで通信を行う構成についての開示がある。
【特許文献１】特開２００４−３５５２１２号公報（第８頁、図１）
【発明の開示】
【発明が解決しようとする課題】
【０００６】
このような無線送受信装置がＩＣカードと無線通信を行う場合には、無線送受信装置からの電磁誘導で、ＩＣカードが作動するので、基本的には、ＩＣカードに組み込まれたアンテナと無線送受信装置とが、出来るだけ近接した状態である方が、正しく無線通信ができる。ところが、無線送受信装置からの誘導磁界によってＩＣカードの駆動電力を得るシステムの場合、ＩＣカードと無線送受信装置との距離が近すぎるとＩＣカード内のループアンテナに過多に誘導起電力が発生し、ICカード内部が過熱されて保護回路によりカードが動作しなくなり、無線送受信装置に応答を返さなくなる場合があった。このように動作しないポイントは通信が成立しないので、ヌル状態と称される。このようなヌル状態への対応はなされていなかった。
【０００７】
このようなヌル状態の発生を防止するためには、アンテナの共振周波数（以降、周波数と記載）をずらすことで送信出力を低下させることにより、カードが過大な電磁界環境にさらされて発熱することを防止することが有効である。
【課題を解決するための手段】
【０００８】
本発明は、電磁波によって無線通信媒体との通信を非接触で行う無線送受信装置であって、前記無線通信媒体との距離を検出する距離検出部と、前記通信端末との通信を行う通信処理部と、前記距離検出部で検出された値に基づき前記通信処理部からの周波数を調整する周波数調整部と、前記周波数調整部から受け取った周波数に基づき電波を放射するアンテナ部とを有し、前記無線通信媒体との距離が近くなった場合には前記無線通信媒体と無線送受信装置との通信の感度を下げ、前記無線通信媒体との距離が遠くなった場合には前記無線通信媒体と無線送受信装置との通信の感度を上げることを特徴とする。
【発明の効果】
【０００９】
本発明によると、ヌル状態の発生を防止することが出来る。
【発明を実施するための最良の形態】
【００１０】
以下、本発明の一実施の形態を、図面を用いて説明する。
【００１１】
図１に本発明の第１の実施例の無線送受信装置１の構成を示した図を示す。また図２に第１の実施例における周波数調整回路１５の構成図を示す。
【００１２】
無線送受信装置１は、上位装置にあたる自動改札機３に接続され、信号伝送に関するコマンドを自動改札機３から受け取るとともに無線送受信装置１とＩＣカード２との通信結果等を自動改札機３に送信する。
【００１３】
無線送受信装置１は、制御用ＣＰＵ１１、フラッシュメモリ１２、電源回路１３、送受信回路１４で構成される通信処理部１００と、周波数調整回路１５、アンテナ回路１６で構成される周波数調整部２００と、アンテナ１７と、赤外線センサ１８から構成される距離検出部３００により構成される。
【００１４】
制御用ＣＰＵ１１は、自動改札機３から与えられた各種動作用の指令に基づいて無線送受信装置１の各部の制御を実行する。また制御用ＣＰＵ１１は、周波数調整回路１５を制御する制御手段である。また、制御用ＣＰＵ１１は赤外線センサ１８からの距離情報を受け取ると、フラッシュメモリ１２上に記憶された後述する周波数調整のためのテーブルに基づいて周波数調整回路１５に信号を送信する。
【００１５】
フラッシュメモリ１２には図３に示すようなアンテナとカード間の距離Ｄに対応して調整すべきアンテナ周波数１００３とその周波数に調整するための周波数調整回路制御信号１００２のビット情報が記録されたテーブルが記憶されている。上記テーブルは制御用ＣＰＵ１１が周波数調整回路１５に信号を送る際に参照する。
【００１６】
図３内のアンテナとカード間の距離Ｄは、赤外線センサ１８で検出されたアンテナ１７とＩＣカード２との距離を指す。周波数調整制御信号１００２を送る基準となるアンテナ１７とＩＣカード２の距離Ｄの閾値の設定は、近距離にＩＣカード２を近づけた際の熱の発生を回避出来るとされる値から設定する。
【００１７】
また周波数調整制御信号１００２は、周波数調整制御信号線ｂ０、ｂ１を通じて後述するスイッチング部Ａ０、Ａ１のＯＮ及びＯＦＦを切り替える信号を指し、「０」の場合はスイッチがＯＦＦであり、また「１」の場合にはスイッチがＯＮであることを示す。例えば、スイッチング部Ａ０をＯＮかつスイッチＡ１をＯＦＦとしたい場合には、ｂ０には周波数調整制御信号１００２の「１」を、ｂ１には周波数調整制御信号１００２の「０」を送信する（以降、（ｂ０、ｂ１）＝（１、０）と表示する）。
【００１８】
アンテナ周波数１００３はスイッチング部Ａ０、Ａ１がＯＮ及びＯＦＦになった場合のアンテナ１７における周波数の値を示したものである。
【００１９】
フラッシュメモリ１２のアンテナとカード間の距離Ｄ及び周波数調整制御信号１００２については、書換え可能に構成して、調整ができるようにしてもよい。
【００２０】
電源回路１３は無線送受信装置１の各部の動作に必要な電力を生成し、制御用ＣＰＵ１１、送受信回路１４へと供給する。また、電源回路１３は制御用ＣＰＵ１１からの制御信号に基づいて送受信回路１４への電源供給のＯＮ／ＯＦＦを切り替えることができる。電源投入時の初期状態では送受信回路１４への電源供給はＯＦＦになっている。
【００２１】
送受信回路１４は、自動改札機３から与えられた送信用のデータを変調してアンテナ１７に送信信号を供給し、アンテナ１７において受信した信号を復調して受信データの生成を行う。アンテナ１７は自身に近接されたＩＣカード２との間で非接触（無線）で信号の送受信を行う。送受信回路１４では送信データを、例えば搬送波周波数１３ＭＨｚで変調し、その変調された送信信号を、所定の送信出力とする処理を行い、周波数調整回路１５を介してアンテナ１７に供給して、無線送信させる。
【００２２】
周波数調整回路１５には、制御用ＣＰＵ１１から周波数調整制御信号１００２を受け取り、周波数調整制御信号１００２に応じて周波数をシフトさせる。本例の場合には、赤外線センサ１８の出力から、ＩＣカード２との接近を検出した場合に、周波数調整回路１５で周波数を低くシフトさせるようにしてある。周波数調整回路１５における周波数をシフトさせる具体的な処理と、シフトさせる具体的な構成については後述する。
【００２３】
アンテナ回路１６は後述するコンデンサＣ３を備えた回路である。アンテナ回路１６はアンテナ１７の周波数が例えば１３ＭＨｚで最も送信出力が最適となるように設定されている。
【００２４】
またアンテナ１７はループアンテナであり、この部分にＩＣカード２をかざすことにより、通信を行うことができる。
【００２５】
アンテナ１７の面に設けられた赤外線センサ１８はＩＣカード２を無線送受信装置１に近づけるとカードの存在を検知し、アンテナ面からカードでの距離データを制御用ＣＰＵ１１に送信する。この赤外線センサ１８はアンテナ１７の近傍に設けることも可能である。
【００２６】
ＩＣカード２は、例えばプラスチック製のカードなどに、ＩＣチップやＬＳＩなどの集積回路やアンテナコイルを埋め込んだ書き込み可能な記憶媒体であり、ＩＣカード２に内蔵された図示しないアンテナコイルはアンテナ１７からの電波により集積回路を動作させるために必要な電力を生成する役割も有している。
【００２７】
周波数調整回路１５には制御用ＣＰＵ１１から周波数調整制御信号線ｂ０、ｂ１を通じてアンテナ回路１６に設けられたコンデンサＣ３と並列に２個のコンデンサＣ０、Ｃ１が接続されている。そのコンデンサには例えばトランジスタなどの半導体のスイッチング部Ａ０、Ａ１が直列に接続され、上記スイッチは制御用ＣＰＵ１１から供給される信号でオン・オフが制御される。
【００２８】
制御用ＣＰＵ１１は、赤外線センサ１８の出力の判断結果に基づいて周波数調整制御信号線ｂ０、ｂ１の周波数調整制御信号１００２を切り替えて、コンデンサの総容量を変化させることでアンテナ１７の周波数を調整することができる。図２では２個のコンデンサしか示していないが、コンデンサの数を増やすことでさらに細かく、また広範囲にアンテナ周波数を調整することができる。赤外線センサ１８の出力と制御信号との対応については、フラッシュメモリ１２に記憶させておく。
【００２９】
なお、スイッチング部Ａ０をオフ状態からオン状態に変化させる信号レベルと、オン状態からオフ状態に変化させる信号レベルは若干変化させて、スイッチの動作にある程度のヒステリシスを持たせるようにしてもよい。
【００３０】
図４から図６に第１の実施例におけるアンテナ周波数１００３がシフトする過程を示したフローチャートを示す。
【００３１】
以下では第１の実施例における動作の一例を示す。
【００３２】
周波数が例えば１３ＭＨｚでアンテナ１７の送信出力が最大となるように無線送受信装置１を設定してあるこの無線送受信装置１に利用者が近づき、所有しているＩＣカード２を近づける（図４に示すＳ１）。
【００３３】
するとアンテナ１７上の赤外線センサ１８がＩＣカード２とアンテナ１７の距離Ｄを検出する（Ｓ２）。
【００３４】
赤外線センサ１８は、検出した結果を制御用ＣＰＵ１１に送信する。制御用ＣＰＵは上記距離Ｄが例えば６０ｍｍ以上か否かを判断する（Ｓ３）。
【００３５】
ここでＩＣカード２とアンテナ１７間の距離Ｄが６０ｍｍ以上のとき制御用ＣＰＵ１１はメモリ２に記録された図３のテーブルを参照し、周波数調整回路１５に周波数調整制御信号１００２（ｂ０，ｂ１）=（０，０)を送信する（Ｓ４ａ）。よってスイッチング部Ａ０、Ａ１の状態には変化が無く、スイッチング部Ａ０、Ａ１はＯＦＦのままである。結果としてアンテナ１７の周波数は初期の設定である１３ＭＨｚに保たれる（Ｓ５ａ）。
【００３６】
さらに無線送受信装置１に利用者が近づき、利用者が所有しているＩＣカード２をアンテナ１７に近づけていくと(Ｓ１)、アンテナ１７上の赤外線センサ１８がＩＣカード２とアンテナ１７間の距離Ｄを検出し（Ｓ２）、赤外線センサ１８は検出した結果を制御用ＣＰＵ１１に送信する。制御用ＣＰＵは上記距離Ｄが例えば６０ｍｍ以上か否かを判断する（Ｓ３）。
【００３７】
ＩＣカード２とアンテナ１７間の距離Ｄが６０ｍｍ未満になると制御用ＣＰＵ１１は図３のテーブルを参照して周波数調整回路１５に周波数調整制御信号１００２（ｂ０，ｂ１）＝（０，１）を送信する(Ｓ４ｂ)。すると周波数調整制御信号１００２を受け、スイッチが切り替わりスイッチＡ１がＯＮとなる。結果アンテナ１７の周波数は１２ＭＨｚに調整される（Ｓ５ｂ）。
【００３８】
ここでアンテナ１７の周波数は最適値１３ＭＨｚから１２ＭＨｚにずれることになり、ＩＣカード２への送信出力が低下する。このためアンテナ１７にＩＣカード２が近接してもＩＣカード２が過大な電磁界環境にさらされることがなく、ＩＣカード２が発熱し無応答となるのを防ぐことができる。
【００３９】
続いてアンテナ１７の周波数が１２ＭＨｚに設定された無線送受信装置１に利用者が近づき、利用者が所有しているＩＣカード２を近づける（Ｓ１１）。
【００４０】
するとアンテナ１７上の赤外線センサ１８がＩＣカード２とアンテナ１７間の距離Ｄを検出する（Ｓ１２）。
【００４１】
赤外線センサ１８は検出した結果を制御用ＣＰＵ１１に送信する。制御用ＣＰＵは上記距離Ｄが例えば６０ｍｍ未満でかつ５０ｍｍ以上か否かを判断する（Ｓ１３）。
【００４２】
ここでＩＣカード２とアンテナ１７間の距離Ｄが６０ｍｍ未満５０ｍｍ以上のとき制御用ＣＰＵ１１はメモリ２に記録された図３のテーブルを参照し、周波数調整回路１５に周波数調整制御信号１００２（ｂ０，ｂ１）=（０，１)を送信する（Ｓ１４ａ）。よってスイッチング部Ａ０、Ａ１の状態には変化が無く、スイッチング部Ａ０はＯＦＦの状態かつスイッチング部Ａ１はＯＮの状態となる。結果としてアンテナ１７の周波数は１２ＭＨｚに保たれる（Ｓ１５ａ）。
【００４３】
さらに無線送受信装置１に利用者が近づき、利用者が所有しているＩＣカード２をアンテナ１７に近づけていくと(Ｓ１１)、アンテナ１７上の赤外線センサ１８がＩＣカード２とアンテナ１７間の距離Ｄを検出し（Ｓ１２）、赤外線センサ１８は検出した結果を制御用ＣＰＵ１１に送信する。制御用ＣＰＵは上記距離Ｄが例えば６０ｍｍ未満５０ｍｍ以上か否かを判断する（Ｓ１３）。
【００４４】
ＩＣカード２とアンテナ１７間の距離Ｄが５０ｍｍ未満になると制御用ＣＰＵ１１は図３のテーブルを参照して周波数調整回路１５に周波数調整制御信号１００２（ｂ０，ｂ１）＝（１，０）を送信する(Ｓ１４ｂ)。すると周波数調整制御信号１００２を受け、スイッチが切り替わりスイッチング部Ａ０はＯＮの状態に変化しかつスイッチング部Ａ１はＯＦＦの状態に変化する。結果アンテナ１７の周波数は１１ＭＨｚに調整される（Ｓ１５ｂ）。
【００４５】
ここでアンテナ１７の周波数は最適値１３ＭＨｚに対して１１ＭＨｚと設定されることになり、ＩＣカード２への送信出力が低下する。このためアンテナ１７にＩＣカード２が近接してもＩＣカード２が過大な電磁界環境にさらされることがなく、ＩＣカード２が発熱し無応答となるのを防ぐことができる。
【００４６】
続いてアンテナ１７の周波数が１１ＭＨｚに設定された無線送受信装置１に利用者が近づき、利用者が所有しているＩＣカード２を近づける（Ｓ２１）。
【００４７】
するとアンテナ１７上の赤外線センサ１８がＩＣカード２とアンテナ１７間の距離Ｄを検出する（Ｓ２２）。
【００４８】
赤外線センサ１８は検出した結果を制御用ＣＰＵ１１に送信する。制御用ＣＰＵは上記距離Ｄが例えば４０ｍｍ以上か否かを判断する（Ｓ２３）。
【００４９】
ここでＩＣカード２とアンテナ１７間の距離Ｄが５０ｍｍ未満４０ｍｍ以上のとき制御用ＣＰＵ１１はメモリ２に記録された図３のテーブルを参照し、周波数調整回路１５に周波数調整制御信号１００２（ｂ０，ｂ１）=（１，０)を送信する（Ｓ２４ａ）。よってスイッチング部Ａ０、Ａ１の状態には変化が無く、スイッチング部Ａ０はＯＮかつスイッチング部Ａ１はＯＦＦの状態に保たれる。結果としてアンテナ１７の周波数は１１ＭＨｚに保たれる（Ｓ２５ａ）。
【００５０】
さらに無線送受信装置１に利用者が近づき、利用者が所有しているＩＣカード２をアンテナ１７に近づけていくと(Ｓ２１)、アンテナ１７上の赤外線センサ１８がＩＣカード２とアンテナ１７間の距離Ｄを検出し（Ｓ２２）、赤外線センサ１８は検出した結果を制御用ＣＰＵ１１に送信する。制御用ＣＰＵは上記距離Ｄが、例えば４０ｍｍ以上か否かを判断する（Ｓ２３）。
【００５１】
ＩＣカード２とアンテナ１７間の距離Ｄが４０ｍｍ未満になると制御用ＣＰＵ１１は図３のテーブルを参照して周波数調整回路１５に周波数調整制御信号１００２（ｂ０，ｂ１）＝（１，１）を送信する(Ｓ２４ｂ)。すると周波数調整制御信号１００２を受け、スイッチが切り替わりスイッチング部Ａ０はＯＮのまま、かつスイッチング部Ａ１はＯＮに切り替わる。結果としてアンテナ１７の周波数は１０ＭＨｚに調整される（Ｓ２５ｂ）。
【００５２】
ここでアンテナ１７の周波数は最適値１３ＭＨｚに対して１０ＭＨｚと設定されることになり、ＩＣカード２への送信出力が低下する。このためアンテナ１７にＩＣカード２が近接してもＩＣカード２が過大な電磁界環境にさらされることがなく、ＩＣカード２が発熱し無応答となるのを防ぐことができる。
【００５３】
ＩＣカード２が無線送受信装置１との通信を完了し、利用者がＩＣカード２をアンテナ１７から離してＩＣカード２とアンテナ１７間の距離Ｄが再び６０ｍｍ以上になると制御用ＣＰＵ１１は周波数調整回路１５に周波数調整制御信号１００２（ｂ０，ｂ１）=（０，０)を送信し、アンテナ１７の周波数は初期の設定である１３ＭＨｚに戻され、再び送信出力が最大化されることによりＩＣカード２が遠方にあっても安定した電力を供給することができる。
【００５４】
上記の動作例ではアンテナ１７の周波数を２種類の中から切り替えるよう説明した。しかし、２種類以上の周波数の中から切り替え、ＩＣカード２とアンテナ１７間の距離によって必要に応じて多段に送信出力を調整するようにしてもよい。
【００５５】
なお、図３に示した動作例では、端末が無線送受信装置１と離れた状態で、コンデンサＣ０、Ｃ１が接続されていない状態とし、無線送受信装置１にＩＣカード２が接近したとき、コンデンサＣ０、Ｃ１を接続させて、周波数を低下させるようにした。しかし逆に、端末が無線送受信装置１と離れた状態で、コンデンサＣ０、Ｃ１を接続させ、無線送受信装置１と接近した状態となったとき、コンデンサＣ０、Ｃ１を接続されてない状態として、無線送受信装置１と接近したときに、周波数を高くシフトさせるようにしてもよい。この場合のシフトとしては、発熱を避けられる程度にシフトさせれば良い。
【００５６】
また、図１に示した例では、端末との接近を、赤外線センサ１８で検出するようにしたが、その他のセンサで無線送受信装置１と端末との距離Ｄを検出して、その検出された距離に応じて、周波数をシフトさせるようにしてもよい。
【００５７】
以上説明した通り、本発明の第１の実施例ではＩＣカード２がアンテナ１７に接近したことを赤外線センサ１８により検知しアンテナ周波数をずらすことで送信出力を低下させる。これにより、接近に伴いカードが過大な電磁界環境にさらされて発熱し無応答となることを防ぎ安定した通信をすることができる効果がある。
【００５８】
次に本発明の第２の実施例を説明する。
【００５９】
この第２の実施例の各構成要素を図７に示す。図７では、図１の第１の実施例の無線送受信装置１の各部と同一部分は同一符号で示す。この第２の実施例は第１の実施例と異なり、距離検出部３００でなく、受信信号レベル検出回路１９により構成される受信信号レベル検出部４００が設けられる。またフラッシュメモリ１２内に記録された後述するテーブルが異なる。
【００６０】
フラッシュメモリ１２には図８に示すような受信信号レベル２００１に対応して調整すべきアンテナ周波数２００３とその周波数に調整するための周波数調整制御信号２００２のビット情報が記録されたテーブルが記憶されている。上記テーブルは制御用ＣＰＵ１１が周波数調整回路１５に信号を送る際に参照する。
【００６１】
図８内の受信信号レベル２００１は受信信号レベル検出回路１９で検出された受信信号の振幅を指す。図９（ａ）（ｂ）（ｃ）に、ＩＣカード２がアンテナ１７に近づいたときの、距離Ｄに対する受信信号の大きさをグラフに示す。ＩＣカード２を無線送受信装置１に近づけていくと受信信号は増大し（図９（ｃ））、遠ざけると減少する（図９（ａ））。つまり、受信信号の大きさを検出することにより、ＩＣカードとアンテナ１７の距離Ｄが近くなったか遠くなったかを検出できる。周波数調整制御信号２００２を送る基準となる受信信号レベル２００１の設定としては、近距離にＩＣカード２を近づけた際の熱の発生を回避するための閾値によって決定される。
【００６２】
また周波数調整制御信号２００２は、周波数調整制御信号線ｂ０、ｂ１を通じて後述するスイッチング部Ａ０、Ａ１のＯＮ及びＯＦＦを切り替える信号を指し、０の場合はスイッチがＯＦＦであり、また１の場合にはスイッチがＯＮであることを示す。
【００６３】
アンテナ周波数２００３はスイッチング部Ａ０、Ａ１がＯＮ及びＯＦＦになった場合のアンテナ１７における周波数の値を示したものである。
【００６４】
フラッシュメモリ１２の受信信号レベル２００１及び周波数調整制御信号２００２については、書換え可能に構成して、調整ができるようにしてもよい。
【００６５】
図１０では第２の実施例におけるアンテナ周波数２００３がシフトする過程を示したフローチャートを示す。
【００６６】
アンテナ１７の周波数が１３ＭＨｚで最も送信出力が最大となるような無線送受信装置１に利用者が近づき、ＩＣカード２を近づける（Ｓ１１１）。
【００６７】
アンテナ１７がＩＣカード２からの信号を受信する（Ｓ１１２）。
【００６８】
ＩＣカード２からの信号を受信すると受信信号レベル検出回路１９より受信信号レベル情報が制御用ＣＰＵ１１に送信される（Ｓ１１３）。
【００６９】
ここで受信信号レベル２００１の最大値が３未満のとき制御用ＣＰＵ１１は図８のテーブルを参照し、周波数調整回路１５に周波数調整制御信号２００２（ｂ１，ｂ２）＝（０，０）を送信する（Ｓ１１４ａ）。（ｂ１，ｂ２）＝（０，０）は初期状態と同一の状態のためアンテナ１７の周波数は１３ＭＨｚに保たれる（Ｓ１１５ａ）。
【００７０】
続いてアンテナ１７の周波数が１３ＭＨｚで最も送信出力が最大となるような無線送受信装置１に利用者が近づき、ＩＣカード２を近づける（Ｓ１１１）。
【００７１】
アンテナ１７がＩＣカード２からの信号を受信する（Ｓ１１２）。
【００７２】
ＩＣカード２からの信号を受信すると受信信号レベル検出回路１９より受信信号レベル情報が制御用ＣＰＵ１１に送信される（Ｓ１１３）。
【００７３】
ここで受信信号レベル２００１の最大値が３以上のとき制御用ＣＰＵ１１は図１１のテーブルを参照し、周波数調整回路１５に周波数調整制御信号２００２（ｂ１，ｂ２）＝（１，１）を送信する（Ｓ１１４ｂ）。するとスイッチング部Ａ０、Ａ１がＯＮとなることによりアンテナ１７の周波数が１０ＭＨｚに調整される（Ｓ１１５ｂ）。ここでアンテナ１７の周波数は最適値１３ＭＨｚからずれることになり、ＩＣカード２への送信出力が低下する。
【００７４】
このためアンテナ１７にＩＣカード２が近接してもＩＣカード２が過大な電磁界環境にさらされることがなく、ＩＣカード２が発熱し無応答となるのを防ぐことができる。
【００７５】
ＩＣカード２が無線送受信装置１との通信を完了し、利用者がＩＣカード２をアンテナ１７から離して受信信号レベル２００１が、３未満になると制御用ＣＰＵ１１は周波数調整回路１５に周波数調整制御信号２００２（ｂ１，ｂ２）＝（０，０）が送信され、アンテナ１７の周波数は１３ＭＨｚに戻され、再び送信出力が最大化されることによりカードが遠方にあっても安定した電力を供給することができる。
【００７６】
上記の動作例ではアンテナ１７の周波数を２種類の中から切り替えるよう説明したが、３種類以上の中から切り替え、受信信号レベル２００１によって多段に送信出力を調整するようにしてもよい。
【００７７】
以上により第２の実施例ではＩＣカード２がアンテナ１７に近接したことをＩＣカード２からの受信信号レベル２００１の値により検知しアンテナ１７の周波数をずらすことで送信出力を低下させることにより、ＩＣカード２が過大な電磁界環境にさらされて発熱し無応答となるのを防ぎ安定した通信をすることができる。また他の媒体の接近に係らず該当するＩＣカード２の接近にのみ対応しアンテナ１７の周波数をずらすことが可能である。
【００７８】
このように感度を下げる手段としては周波数を最適値より離す（つまり離調する）場合と信号レベルを下げる場合の２つがある。なお、上記ＩＣカード２は、本例の無線送受信装置が通信を行う通信端末としては、カード形状などの非接触ＩＣカード（タグ）や、非接触型のＩＣカード機能を内蔵させた携帯電話端末装置などの、ＩＣカード機能を備えた通信端末であれば、いずれでもよい。
【００７９】
また、フラッシュメモリ１２はＵＳＢメモリ等のその他メモリであっても代用可能である。また、本例の無線送受信装置は、例えば、交通機関の改札口や、ビルの出入り口、商店又は自動販売機の代金決済用レジなどに設置されて、それらのシステムを運用するコンピュータ装置と接続された無線送受信装置の場合と、パーソナルコンピュータ装置などに接続（又は内蔵）されて、単独で運用される無線送受信装置の場合のいずれでもよい。
【図面の簡単な説明】
【００８０】
【図１】本発明の第１の実施例の無線送受信装置の構成図。
【図２】第１の実施例における周波数調整回路１５の構成図。
【図３】アンテナとカード間の距離Ｄに対応して調整すべきアンテナ周波数とその周波数に調整するための周波数調整制御信号１００２のビット情報が記録されたテーブル。
【図４】第１の実施例におけるアンテナ周波数１００３がシフトする過程を示したフローチャート。
【図５】第１の実施例におけるアンテナ周波数１００３がシフトする過程を示したフローチャート。
【図６】第１の実施例におけるアンテナ周波数１００３がシフトする過程を示したフローチャート。
【図７】本発明の第２の実施例の無線送受信装置の構成図。
【図８】受信信号レベルに対応して調整すべきアンテナ周波数とその周波数に調整するための周波数調整制御信号２００２のビット情報が記録されたテーブル。
【図９】カードとアンテナの距離Ｄに対する受信信号の大きさを示すグラフ。
【図１０】第２の実施例におけるアンテナ周波数２００３がシフトする過程を示したフローチャート。
【符号の説明】
【００８１】
１  無線送受信装置
２  ＩＣカード
３  自動改札機
１１  制御用ＣＰＵ
１２  メモリ
１５  周波数調整回路
１７  アンテナ
１８  赤外線センサ
１９  受信信号レベル検出回路
【図１】
2009177312.tif 000003
【図２】
2009177312.tif 000004
【図３】
2009177312.tif 000005
【図４】
2009177312.tif 000006
【図５】
2009177312.tif 000007
【図６】
2009177312.tif 000008
【図７】
2009177312.tif 000009
【図８】
2009177312.tif 000010
【図９】
2009177312.tif 000011
【図１０】
2009177312.tif 000012